(57)【特許請求の範囲】
【請求項１】
第１ウェブページを表示領域に表示する表示部を含む電子装置で具現されるウェブページ表示方法において、
ユーザから、前記第１ウェブページに含まれた第１リンクに対する選択入力が入力され、
前記第１リンクに対応する第２ウェブページのアドレスが、分割表示条件を満足するか否かを判断し、
前記判断の結果、前記分割表示条件を満足する場合にだけ、
前記表示領域を複数のセクション領域に分割し、
前記複数のセクション領域のうち第１セクション領域に、前記第１ウェブページを表示し、前記第１セクション領域と異なる第２セクション領域に、前記第２ウェブページを表示することを含み、
前記第２ウェブページのアドレスが、前記第１ウェブページのアドレスに含まれるＵＲＬを含む場合、前記第２ウェブページが別途の表示ウィンドウで表示されるように設定された場合のうち、少なくとも一つに属する場合に前記分割表示条件を満足すると判断することを含む、ウェブページ表示方法。
【請求項２】
前記判断の結果、前記分割表示条件を満足しない場合、前記表示領域を、複数のセクション領域に分割せず、前記第２ウェブページを、前記表示領域に表示することを特徴とする請求項１に記載のウェブページ表示方法。
【請求項３】
前記第２ウェブページのアドレスが、前記分割表示条件を満足するか否かを判断することは、
前記第１ウェブページが、ユーザから入力されたキーワードに対応する検索結果を含むページであるか否かを判断し、
前記判断の結果、前記第１ウェブページが、前記キーワードに対応する検索結果を含む場合、前記第１リンクが前記検索結果に含まれる場合にだけ、前記第２ウェブページのアドレスが、前記分割表示条件を満足すると判断することを特徴とする請求項１に記載のウェブページ表示方法。
【請求項４】
前記第２ウェブページのアドレスが「ｈｔｔｐ」を含む場合に前記分割表示条件を満足すると判断することを含むことを特徴とする請求項１または請求項２に記載のウェブページ表示方法。
【請求項５】
前記ユーザから、前記第１ウェブページに含まれた第２リンクに対する選択入力を受け、
前記第２リンクに対応する第３ウェブページのアドレスが、前記分割表示条件を満足するか否かを判断し、前記判断の結果、前記第３ウェブページのアドレスが、前記分割表示条件を満足する場合、前記第３ウェブページを前記第２セクション領域に表示することをさらに含むことを特徴とする請求項１に記載のウェブページ表示方法。
【請求項６】
前記第３ウェブページを、前記第２セクション領域に表示することは、
前記第３ウェブページ及び前記第２ウェブページを互いに完全に重ねて表示しつつ、前記第２セクション領域の一部分に、前記第２ウェブページの索引、及び前記第３ウェブページの索引を互いに重ならないように表示し、各ウェブページの生成順序に応じて、前記第２ウェブページ上に前記第３ウェブページを表示し、
各ウェブページの索引は、各ウェブページの題目の全部または一部を表示する領域であることを特徴とする請求項５に記載のウェブページ表示方法。
【請求項７】
前記ユーザから、前記第２ウェブページの索引に対する選択入力を受け、前記選択入力に応じて、前記第２セクション領域内に前記第２ウェブページを最も前に表示することをさらに含むことを特徴とする請求項６に記載のウェブページ表示方法。
【請求項８】
前記ユーザから、前記第２ウェブページに含まれた第３リンクに対する選択入力を受け、
前記第３リンクに対応する第４ウェブページを、前記第２セクション領域に表示することをさらに含むことを特徴とする請求項１に記載のウェブページ表示方法。
【請求項９】
第１ウェブページを表示領域に表示する表示部を含む装置において、
ユーザから前記第１ウェブページに含まれた第１リンクに対する選択入力が入力されるユーザ入力部と、
前記第１リンクに対応する第２ウェブページのアドレスが、分割表示条件を満足するか否かを判断する条件判断部と、
前記判断の結果、前記第２ウェブページのアドレスが前記分割表示条件を満足する場合にだけ、前記表示領域を複数のセクション領域に分割し、前記複数のセクション領域のうち第１セクション領域に、前記第１ウェブページを表示し、前記第１セクション領域と異なる第２セクション領域に、前記第２ウェブページを表示する表示制御部と、
を含み、
前記条件判断部は、
前記第２ウェブページのアドレスが、前記第１ウェブページのアドレスに含まれるＵＲＬを含む場合、前記第２ウェブページが別途の表示ウィンドウで表示されるように設定された場合のうち少なくとも一つに属する場合に、前記分割表示条件を満足すると判断することを含む、ウェブページ表示装置。
【請求項１０】
前記表示制御部は、
前記判断の結果、前記第２ウェブページのアドレスが前記分割表示条件を満足しない場合、前記表示領域を複数のセクション領域に分割せず、前記第２ウェブページを、前記表示領域に表示することを特徴とする請求項９に記載のウェブページ表示装置。
【請求項１１】
前記条件判断部は、
前記第１ウェブページが、ユーザから入力されたキーワードに対応する検索結果を含むページであるか否かを判断し、
前記判断の結果、前記第１ウェブページが、前記キーワードに対応する検索結果を含む場合、前記第１リンクが前記検索結果に含まれる場合にだけ、前記第２ウェブページのアドレスが、分割表示条件を満足すると判断することを特徴とする請求項９に記載のウェブページ表示装置。
【請求項１２】
前記条件判断部は、
前記第２ウェブページのアドレスが「ｈｔｔｐ」を含む場合に前記分割表示条件を満足すると判断することを含むことを特徴とする請求項９に記載のウェブページ表示装置。
【請求項１３】
前記ユーザ入力部は、
前記ユーザから、前記第１ウェブページに含まれた第２リンクに対する選択入力が入力され、
前記条件判断部は、前記第２リンクに対する選択入力に応じて、前記第２リンクに対応する第３ウェブページのアドレスが、前記分割表示条件を満足するか否かということを判断し、
前記表示制御部は、
前記判断の結果、前記第３ウェブページのアドレスが、前記分割表示条件を満足する場合、前記第３ウェブページを前記第２セクション領域に表示することを特徴とする請求項９に記載のウェブページ表示装置。
【請求項１４】
前記表示制御部は、
前記第３ウェブページ及び前記第２ウェブページを完全に重ねて表示しつつ、前記第２セクション領域の一部分に、前記第２ウェブページの索引、及び前記第３ウェブページの索引を互いに重ならないように表示し、各ウェブページの生成順序に応じて、第２ウェブページ上に、前記第３ウェブページを表示し、
前記各ウェブページの索引は、
各ウェブページの題目の全部または一部を表示する領域であることを特徴とする請求項１３に記載のウェブページ表示装置。
【請求項１５】
前記ユーザ入力部は、
前記ユーザから、前記第２ウェブページの索引に対する選択入力を受け、
前記表示制御部は、
前記第２ウェブページの索引に対する選択入力に応じて、前記第２セクション領域内に前記第２ウェブページを最も前に表示することを特徴とする請求項１４に記載のウェブページ表示装置。
【請求項１６】
前記ユーザ入力部は、
前記ユーザから、前記第２ウェブページに含まれた第３リンクに対する選択入力を受け、
前記表示制御部は、
前記第３リンクに対応する第４ウェブページを、前記第２セクション領域に表示することを特徴とする請求項９に記載のウェブページ表示装置。
【請求項１７】
コンピュータを利用して、請求項１から請求項８のうちいずれか１項に記載の方法を実行させるためのコンピュータプログラム。
【発明の詳細な説明】
【技術分野】
【０００１】
本発明は、ウェブページ表示装置、その方法及びそのコンピュータプログラムに関し、さらに具体的には、１つの表示領域を複数のセクション領域に分割し、複数のウェブページを複数のセクション領域に表示するように制御するウェブページ表示装置、その方法及びそのコンピュータプログラムに関する。
【背景技術】
【０００２】
ウェブブラウザ（ｗｅｂ  ｂｒｏｗｓｅｒ）は、インターネット網において、情報検索に使用される応用プログラムをいう。ブラウザあるいはインターネットブラウザと呼ばれることがある。これを介してユーザは、映像を見たりメールを送受信したり、また、多様な資料をアップロードしたりダウンロードしたりして多様な活動が可能である。一般的な機能としては、ウェブページを開くこと、最近訪問したインターネットアドレス（ＵＲＬ）及びブックマークの提供、ウェブページ保存機能などがある。
【発明の概要】
【発明が解決しようとする課題】
【０００３】
本発明が解決しようとする課題は、ウェブページの生成入力に対する応答として、ウェブページの性格を考慮し、ウェブページの表示領域を、別途の表示領域に決定するウェブページ表示装置、その方法及びそのコンピュータプログラムを提供することである。
【０００４】
また、本発明が解決しようとする課題は、第１ウェブページに含まれたリンクに対する選択入力に対する応答として、前記リンクに対応する第２ウェブページの生成において、第１ウェブページと第２ウェブページとの関連性を考慮し、第２ウェブページの表示領域を決定するウェブページ表示装置、その方法及びそのコンピュータプログラムを提供することである。
【課題を解決するための手段】
【０００５】
本発明の一実施形態にかかる第１ウェブページを表示領域に表示する表示部を含む電子装置で具現されるウェブページ表示方法は、ユーザから、第１ウェブページに含まれた第１リンクに対する選択入力が入力され、表示領域を複数のセクション領域に分割し、複数のセクション領域のうち第１セクション領域に、第１ウェブページを表示し、第１セクション領域と異なる第２セクション領域に、第１リンクに対応する第２ウェブページを表示することを含んでもよい。
【０００６】
第２ウェブページを表示することは、第２ウェブページのアドレスが、分割表示条件を満足するか否かを判断することを含み、前記判断の結果、第２ウェブページのアドレスが、分割表示条件を満足する場合にだけ、表示領域を複数のセクション領域に分割し、複数のセクション領域のうち第１セクション領域に、第１ウェブページを表示し、第１セクション領域と異なる第２セクション領域に、第２ウェブページを表示してもよい。
【０００７】
第２ウェブページを表示することは、前記判断の結果、第２ウェブページのアドレスが所定の条件を満足しない場合、表示領域を複数のセクション領域に分割せず、第２ウェブページを表示領域に表示してもよい。
【０００８】
第２ウェブページのアドレスが、分割表示条件を満足するか否かを判断することは、第１ウェブページが、ユーザから入力されたキーワードに対応する検索結果を含むページであるか否かを判断することをさらに含み、前記判断の結果、第１ウェブページが、キーワードに対応する検索結果を含む場合、第２ウェブページのアドレスが、分割表示条件を満足するか否かを判断してもよい。
【０００９】
分割表示条件は、第２ウェブページのアドレスが、第１ウェブページのアドレスに含まれるＵＲＬを含むか否か、第２ウェブページのアドレスが「ｈｔｔｐ」を含むか否か、第２ウェブページが別途の表示ウィンドウで表示するように設定されたか否かのうち少なくとも一つに属する場合か否かということを含んでもよい。
【００１０】
本発明の実施形態にかかるウェブページ表示方法は、ユーザから、第１ウェブページに含まれた第２リンクに対する選択入力を受け、第２リンクに対応する第３ウェブページのアドレスが、分割表示条件を満足するか否かを判断し、前記判断の結果、第３ウェブページのアドレスが、分割表示条件を満足する場合、第３ウェブページを第２セクション領域に表示することをさらに含んでもよい。
【００１１】
第３ウェブページを第２セクション領域に表示することは、第３ウェブページ及び第２ウェブページを互いに完全に重ねて表示しつつ、第２セクション領域の一部分に、第２ウェブページの索引、及び第３ウェブページの索引を互いに重ならないように表示し、各ウェブページの生成順序に応じて、第２ウェブページ上に第３ウェブページを表示し、各ウェブページの索引は、各ウェブページの題目の全部または一部を表示する領域であってもよい。
【００１２】
本発明の一実施形態にかかるウェブページ表示方法は、ユーザから、第２ウェブページの索引に対する選択入力を受け、選択入力に応じて、第２セクション領域内に第２ウェブページを最も前に表示することをさらに含んでもよい。
【００１３】
本発明の実施形態にかかるウェブページ表示方法は、ユーザから、第２ウェブページに含まれた第３リンクに対する選択入力を受け、第３リンクに対応する第４ウェブページを第２セクション領域に表示することをさらに含んでもよい。
【００１４】
本発明の実施形態にかかる第１ウェブページを表示領域に表示する表示部を含むウェブページ表示装置は、ユーザから第１ウェブページに含まれた第１リンクに対する選択入力が入力されるユーザ入力部と、第１リンクに対する選択入力に応じて、表示領域を複数のセクション領域に分割し、複数のセクション領域のうち第１セクション領域に、第１ウェブページを表示し、第１セクション領域と異なる第２セクション領域に、第２ウェブページを表示する表示制御部とを含んでもよい。
【００１５】
本発明の実施形態にかかるウェブページ表示装置は、第１リンクに対する選択入力に応じて、第２ウェブページのアドレスが、分割表示条件を満足するか否かを判断する条件判断部をさらに含み、表示制御部は、前記判断の結果、第２ウェブページのアドレスが所定の条件を満足する場合にだけ、表示領域を複数のセクション領域に分割し、複数のセクション領域のうち第１セクション領域に、第１ウェブページを表示し、第１セクション領域と異なる第２セクション領域に、第２ウェブページを表示してもよい。
【００１６】
表示制御部は、前記判断の結果、第２ウェブページのアドレスが所定の条件を満足しない場合、表示領域を複数のセクション領域に分割せず、前記第２ウェブページを前記表示領域に表示してもよい。
【００１７】
条件判断部は、第１ウェブページが、ユーザから入力されたキーワードに対応する検索結果を含むページであるか否かを判断し、前記判断の結果、第１ウェブページが、キーワードに対応する検索結果を含む場合にだけ、第２ウェブページのアドレスが、分割表示条件を満足するか否かを判断してもよい。
【００１８】
分割表示条件は、第２ウェブページのアドレスが、第１ウェブページのアドレスを含むＵＲＬを含むか否か、第２ウェブページのアドレスが「ｈｔｔｐ」を含むか否か、第２ウェブページが別途の表示ウィンドウで表示するように設定されたか否かのうち少なくとも一つに属する場合か否かということを含んでもよい。
【００１９】
ユーザ入力部は、ユーザから、第１ウェブページに含まれた第２リンクに対する選択入力が入力され、条件判断部は、第２リンクに対する選択入力に応じて、第２リンクに対応する第３ウェブページのアドレスが、分割表示条件を満足するか否かを判断し、表示制御部は、前記判断の結果、第３ウェブページのアドレスが、分割表示条件を満足する場合、第３ウェブページを第２セクション領域に表示してもよい。
【００２０】
表示制御部は、第３ウェブページ及び第２ウェブページを完全に重ねて表示しつつ、第２セクション領域の一部分に、第２ウェブページの索引、及び第３ウェブページの索引が互いに重ならないように表示し、各ウェブページの生成順序に応じて、第２ウェブページ上に第３ウェブページを表示し、各ウェブページの索引は、各ウェブページの題目の全部または一部を表示する領域であってもよい。
【００２１】
ユーザ入力部は、ユーザから、第２ウェブページの索引に対する選択入力を受け、表示制御部は、第２ウェブページの索引に対する選択入力に応じて、第２セクション領域内に第２ウェブページを最も前に表示してもよい。
【００２２】
ユーザ入力部は、ユーザから、第２ウェブページに含まれた第３リンクに対する選択入力を受け、表示制御部は、第３リンクに対応する第４ウェブページを第２セクション領域に表示してもよい。
【００２３】
本発明の実施形態にかかるコンピュータプログラムは、コンピュータを利用して、本発明の実施形態にかかるウェブページ表示方法のうちいずれか１つの方法を実行させるために媒体に保存されてもよい。
【００２４】
それ以外にも、本発明を具現するための他の方法、他のシステム及び前記方法を実行するためのコンピュータプログラムを記録するコンピュータで読み取り可能な記録媒体がさらに提供される。
【発明の効果】
【００２５】
本発明によれば、ウェブページの生成入力に対する応答として、ウェブページの性格を考慮し、ウェブページの表示領域を、別途の表示領域に決定することができる。
【００２６】
また、本発明によれば、第１ウェブページに含まれたリンクに対する選択入力に対する応答として、リンクに対応する第２ウェブページの生成において、第１ウェブページと第２ウェブページとの関連性を考慮し、第２ウェブページの表示領域を決定することができる。
【図面の簡単な説明】
【００２７】
【図１】本発明の一実施形態におけるウェブページ表示装置の構造を示すブロック図である。
【図２】記録媒体の構造を示すブロック図である。
【図３】本発明の一実施形態におけるウェブページ表示方法のフローチャートである。
【図４】本発明の一実施形態におけるウェブページ表示方法のフローチャートである。
【図５】本発明の一実施形態におけるウェブページ表示方法のフローチャートである。
【図６】本発明の一実施形態におけるウェブページ表示方法のフローチャートである。
【図７】本発明の一実施形態におけるウェブページ表示方法のフローチャートである。
【図８Ａ】ウェブページ表示装置によって表示されるユーザインターフェースの一例を示す図である。
【図８Ｂ】ウェブページ表示装置によって表示されるユーザインターフェースの一例を示す図である。
【図９Ａ】ウェブページ表示装置によって表示されるユーザインターフェースの一例を示す図である。
【図９Ｂ】ウェブページ表示装置によって表示されるユーザインターフェースの一例を示す図である。
【図１０Ａ】ウェブページ表示装置によって表示されるユーザインターフェースの一例を示す図である。
【図１０Ｂ】ウェブページ表示装置によって表示されるユーザインターフェースの一例を示す図である。
【図１０Ｃ】ウェブページ表示装置によって表示されるユーザインターフェースの一例を示す図である。
【図１０Ｄ】ウェブページ表示装置によって表示されるユーザインターフェースの一例を示す図である。
【発明を実施するための形態】
【００２８】
本発明は多様な変換を加えてもよく、さまざまな実施形態を有してもよいものであるが、特定の実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態によって具現されてもよい。
【００２９】
以下、添付の図面を参照し、本発明の実施形態について詳細に説明するが、図面を参照して説明するとき、同一であるか、あるいは対応する構成要素には、同一の図面符号を付し、それについての重複説明は省略する。
【００３０】
以下の実施形態において、「第１」、「第２」のような用語は、限定的な意味ではなく、１つの構成要素を、他の構成要素と区別する目的で使用されている。
【００３１】
以下の実施形態において、単数の表現は、文脈上明白に異なる意味を有しない限り、複数の表現を含む。
【００３２】
以下の実施形態において、「含む」または「有する」というような用語は、明細書に記載された特徴または構成要素が存在するということを意味するものであり、１以上の他の特徴または構成要素が付加される可能性をあらかじめ排除するものではない。
【００３３】
ある実施形態が異なる態様で具現可能な場合、特定の工程順序は、説明される順序と異なるように遂行されてもよい。例えば、連続して説明される２つの工程は、実質的に同時に遂行されてもよく、説明される順序と反対の順序で進められてもよい。
【００３４】
以下の実施形態において、「回路」は、例えば、プログラム可能な回路によって実行されるインストラクションを保存するハードワイヤード回路、プログラム可能な回路、状態マシン回路及び／またはファームウェアを、単独でまたは任意の組み合わせで含んでもよい。アプリケーションは、ホストプロセッサ、または他のプログラム可能な回路上で実行されるコードまたはインストラクションとして具現される。本発明の任意の実施形態で使われるところのような、モジュールは、回路として具現される。該回路は、集積回路チップのような集積回路として具現されてもよい。
【００３５】
以下の実施形態において、ある部分がある構成要素を「含む」とするとき、それは、特に反対の記載がない限り、他の構成要素を除くものではなく、他の構成要素をさらに含んでもよいということを意味する。また、明細書に記載された「…部」、「…器」、「モジュール」のような用語は、少なくとも１つの機能や動作を処理する単位を意味し、それは、ハードウェアやソフトウェア、またはハードウェア及びソフトウェアの結合によって具現されてもよい。
【００３６】
図１は、本発明の一実施形態におけるウェブページ表示装置１００を示す図面である。
【００３７】
図１を参照すると、本発明の一実施形態におけるウェブページ表示装置１００は、通信部１１０、プロセッサ１２０、記録媒体１３０を含んでもよい。
【００３８】
ウェブページ表示装置１００は、ユーザの検索要請、ページ生成要請などに対する応答として、ウェブサイト、ウェブページを生成して提供するウェブブラウザの機能を遂行する。ウェブページ表示装置１００は、ユーザの要請に対応するウェブページの生成コードをサーバから受信し、ウェブページの生成コードによって、ウェブページを表示する。ここで、該サーバは、ネットワークアドレスを有し、前記ネットワークアドレス、ＵＲＬ（ｕｎｉｆｏｒｍ  ｒｅｓｏｕｒｃｅ  ｌｏｃａｔｏｒ）などを含む要請に対する応答を、ユーザ端末機であるウェブページ表示装置１００に伝送する。該サーバは、一般的なコンピュータ装置をいい、１以上のプロセッサ、１以上の記録媒体を含んでもよい。
【００３９】
ウェブページ表示装置１００は、ユーザによって自由に表示領域が設定され、表示領域内に、複数のウェブページを表示するように制御する。複数のウェブページは、互いに一部重なって表示されたり、完全に重なって表示されたりしてもよい。ここで、ウェブページの表示領域は、クローズボタン、最小化ボタン、全体画面ボタンなどを含んでもよく、ウェブページの題目を表示する索引領域を含んでもよい。
【００４０】
また、ウェブページ表示装置１００は、ウェブページのタイトル、またはウェブページの一部領域に対する選択入力を介して、前記ウェブページが最も前に表示されるように制御してもよい。ウェブページ表示装置１００は、表示領域の上端に開かれているページの情報を含む索引を表示してもよい。ウェブページ表示装置１００は、表示領域の全体領域に開かれている複数のページのうち、任意の１枚のページを表示してもよく、ユーザによって、他の索引が選択されれば、前記選択に対応するページが、最も前に表示されるように制御してもよい。
【００４１】
また、ウェブページ表示装置１００は、ユーザの要請により、またはウェブページの生成コードにより、現在表示されているウェブページの表示領域と別途の表示領域を生成し、前記別途の表示領域を介して、ウェブページを表示してもよい。ウェブページ表示装置１００は、分割表示モードを含み、分割表示モードでは、分割された領域を介して表示されるように制御する。本実施形態によれば、分割表示モードではない場合には、ウェブページ表示装置１００は、分割された領域を介して表示されないこともある。ウェブページ表示装置１００は、分割表示モードを含み、分割表示モードにおいては、分割された領域を介して表示されるように制御する。本実施形態によれば、分割表示モードではない場合には、ウェブページ表示装置１００は、分割された領域を介して表示されない。特に、ウェブページ表示装置１００は、ユーザの要請がなくとも、表示されているウェブページと、表示されるウェブページとの関連性を考慮し、表示されているウェブページと、表示されるウェブページとの間に関連性がある場合には、表示されているウェブページと、表示されるウェブページとが同時に見えるように表示されるウェブページのための表示領域を新たに生成してもよい。
【００４２】
ウェブページ表示装置１００は、ネットワークアドレス、ＵＲＬまたはキーワードなどが入力されるアドレスバー（ａｄｄｒｅｓｓ  ｂａｒ）をさらに含んでもよく、アドレスバーを介して入力されたアドレス、ＵＲＬ、キーワードに対応するウェブページを生成してもよい。ウェブページ表示装置１００は、ウェブページの生成、接続、進行程度を表示する状態バー（ｓｔａｔｕｓ  ｂａｒ）、ウェブページを閉じることができるクローズボタン（ｃｌｏｓｅ  ｂｕｔｔｏｎ）、ウェブページの題目を表示するタイトルバー（ｔｉｔｌｅ  ｂａｒ）を含む表示領域を生成してもよい。
【００４３】
ウェブページ表示装置１００は、ユーザの要請により、ウェブページの生成コード（ｐｒｏｇｒａｍ  ｃｏｄｅ）を受信し、生成コードを解釈し、生成コードによってウェブページを生成してもよい。ウェブページの生成コードは、ジャバスクリプト、ＨＴＭＬなどの多様なコンピュータプログラミング言語によって具現される。ウェブページ表示装置１００は、生成コードの解釈のためのデータを含んでもよい。
【００４４】
通信部１１０は、他のネットワーク装置と、有無線連結を介して、制御信号またはデータ信号のような信号を送受信するために必要なハードウェア及びソフトウェアを含む装置であってもよい。
【００４５】
プロセッサ１２０は、一般的に、ページ表示装置１００の全般的な動作を制御する。例えば、プロセッサ１２０は、記録媒体１３０に搭載された制御ソフトウェアだけではなく、入力制御部１３１（図２）、表示制御部１３３（図２）を実行するように制御してもよい。
【００４６】
プロセッサ１２０は、例えば、プログラム内に含まれたコードまたは命令によって表現された機能を遂行するために、物理的に構造化された回路を有する、ハードウェアに内蔵されたデータ処理装置を意味するものでもよい。このように、ハードウェアに内蔵されたデータ処理装置の一例としては、マイクロプロセッサ（ｍｉｃｒｏｐｒｏｃｅｓｓｏｒ）、中央処理装置（ＣＰＵ：ｃｅｎｔｒａｌ  ｐｒｏｃｅｓｓｉｎｇ  ｕｎｉｔ）、プロセッサコア（ｐｒｏｃｅｓｓｏｒ  ｃｏｒｅ）、マルチプロセッサ（ｍｕｌｔｉｐｒｏｃｅｓｓｏｒ）、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）などの処理装置を網羅してもよいが、本発明の範囲は、それらに限定されるものではない。
【００４７】
記録媒体１３０は、ウェブページ表示装置１００に含まれてもよく、あるいはウェブページ表示装置１００と電気的に連結された保存装置であってもよい。記録媒体１３０は、ページ表示装置１００の動作のための複数のモジュールを保存してもよい。
【００４８】
記録媒体１３０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤメモリまたはＸＤメモリなど）、ＲＡＭ（ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）、ＰＲＯＭ（ｐｒｏｇｒａｍｍａｂｌｅ  ｒｅａｄ  ｏｎｌｙ  ｍｅｍｏｒｙ）、磁気メモリ、磁気ディスク、光ディスクのうち少なくとも１つのタイプの記録媒体を含んでもよい。また、ウェブページ表示装置１００は、インターネット上において、メモリの保存機能を遂行するウェブストレージまたはクラウドサーバを運用してもよい。
【００４９】
また、本発明の一実施形態におけるウェブページ表示装置１００は、画像データを表示する表示部１４０、ユーザから、データ、入力、要請などを入力されるユーザ入力部１５０などをさらに具備してもよい。
【００５０】
表示部１４０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、三次元ディスプレイ（３Ｄ  ｄｉｓｐｌａｙ）、電気泳動ディスプレイ（ｅｌｅｃｔｒｏｐｈｏｒｅｔｉｃ  ｄｉｓｐｌａｙ）のうち少なくとも一つを含んでもよい。そして、ページ表示装置１００の具現形態に応じて、ウェブページ表示装置１００は、ディスプレイ部１４０を２個以上含んでもよい。このとき、２個以上のディスプレイ部１４０は、ヒンジ（ｈｉｎｇｅ）を利用して、対向するように配置される。
【００５１】
ユーザ入力部１５０は、ユーザからの要請を入力する手段であり、キーパッド（ｋｅｙ  ｐａｄ）、ドームスイッチ（ｄｏｍｅ  ｓｗｉｔｃｈ）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【００５２】
図２は、記録媒体１３０の構造を示すブロック図である。
【００５３】
図２を参照すると、記録媒体１３０は、入力制御部１３１、条件判断部１３２、表示制御部１３３を含んでもよい。
【００５４】
入力制御部１３１は、ユーザ入力部１５０を介して入力されたデータに対応する入力を生成してもよい。入力制御部１３１は、ウェブページ生成入力、ウェブページ消滅入力、ウェブページ大きさ調整入力、ウェブページ移動入力などを入力される。入力制御部１３１は、ユーザから第１ウェブページの生成入力を入力され、入力制御部１３１は、前記第１ウェブページに含まれた１以上のリンクに対する選択入力を入力される。
【００５５】
条件判断部１３２は、第１ウェブページに含まれた１以上のリンクに対する選択入力に対応し、生成される第２ウェブページのアドレスが、分割表示条件を満足するか否かを判断する。ここで、分割表示条件は、表示領域を２個のセクション領域に分割し、第１ウェブページ及び第２ウェブページをそれぞれ異なるセクション領域に表示する条件をいう。条件判断部１３２は、第２ウェブページのアドレスが、第１ウェブページのアドレスと同一ＵＲＬを含むか、第２ウェブページのアドレスが「ｈｔｔｐ」を含むか、第２ウェブページのアドレスが‘ｔａｒｇｅｔ＝”＿ｂｌａｎｋ”’を含む場合、第２ウェブページの表示ウィンドウを分割表示しなければならないと判断してもよい。
【００５６】
表示制御部１３３は、前記判断の結果、第２ウェブページのアドレスが、分割表示条件を満足する場合、表示領域を複数のセクション領域に分割し、第１ウェブページを第１セクション領域に表示し、第２ウェブページを第２セクション領域にそれぞれ表示するように制御する。それを介して、本発明の一実施形態におけるウェブページ表示装置１００は、複数のウェブページが互いに重ならないように同時に表示することができる。表示制御部１３３は、表示しなければならないウェブページの数、及び／またはユーザによって設定された臨界領域数を考慮し、表示領域を分割してもよい。例えば、表示制御部１３３は、表示するウェブページが３枚である場合、表示領域を３個のセクション領域に分割してもよい。表示制御部１３３は、ユーザによって設定された臨界領域数が２である場合、表示領域を最大２個のセクション領域に分割してもよい。また、表示制御部１３３は、表示領域を横方向に分割するか、縦方向に分割するか、あるいは横方向及び縦方向を交互に分割するような方法で、複数のセクション領域に分割してもよい。
【００５７】
一般的に、表示制御部１３３は、入力された要請に対応して、ウェブページの表示を制御する。表示制御部１３３は、ウェブページアドレスを含むウェブページ生成入力に対応して、ウェブページのアドレスに対応するウェブページを表示する。表示制御部１３３は、ウェブページ消滅入力に対応して、当該ウェブページを消滅させる。表示制御部１３３は、ウェブページ大きさ調整入力に対応して、ウェブページの表示領域の大きさを調節する。表示制御部１３３は、調節された表示領域にウェブページを表示する。表示領域が大きくなった場合、表示制御部１３３は、ウェブページを拡大させるか、表示されるウェブページの領域を拡張させてもよい。表示領域が小さくなった場合、表示制御部１３３は、ウェブページを縮めるか、あるいは表示されるウェブページの領域を狭く制限してもよい。
【００５８】
表示制御部１３３は、第１ウェブページが表示領域の全体に表示される場合、第１ウェブページに含まれた第１リンクに対応する第２ウェブページを独立して表示するため、表示領域を２個のセクション領域に分割し、各セクション領域に、１枚のウェブページが表示されるように制御する。表示制御部１３３は、第１セクション領域に表示された第１ウェブページに含まれたリンクを介して生成されるウェブページと、第２セクション領域に表示された第２ウェブページに含まれたリンクを介して生成されたウェブページとを区分して表示してもよい。例えば、表示制御部１３３は、第１セクション領域に表示された第１ウェブページに含まれたリンクを介して生成されるウェブページのアドレス、及び第１ウェブページのアドレスとの関連性を考慮し、第１ウェブページに含まれたリンクを介して生成されるウェブページのアドレス、及び第１ウェブページのアドレスが、同一のＵＲＬまたはファイル名を含む場合には、第１ウェブページに含まれたリンクを介して生成されるウェブページが、第１ウェブページと互いに関連していると見られるので、第１ウェブページに含まれたリンクを介して生成されるウェブページと、第１ウェブページとが同時に表示されるように表示領域を分割し、分割された各セクション領域を介して、ウェブページが表示されるように制御する。また、表示制御部１３３は、第１ウェブページに含まれたリンクを介して生成されるウェブページのアドレスが、別途のウィンドウに表示されるように設定された場合、ｈｔｔｐを含む場合にも、同様に、第１ウェブページに含まれたリンクを介して生成されるウェブページと、第１ウェブページとが同時に表示されるように表示領域を分割し、分割された各セクション領域を介して、ウェブページが表示されるように制御する。表示制御部１３３は、第１ウェブページに含まれたリンクを介して生成されるウェブページのアドレス、及び第１ウェブページのアドレスが同一のＵＲＬまたはファイル名を含まない場合、第１ウェブページに含まれたリンクを介して生成されるウェブページを、第１ウェブページの第１セクション領域、または表示領域の全体に表示されるように制御してもよい。表示制御部１３３は、ｎ枚のウェブページを独立して表示するために、ｎ個のセクション領域に分割し、各セクション領域に、１枚のウェブページが表示されるようにする。
【００５９】
次に、分割された後のユーザインターフェースについて説明する。例えば、ウェブページ表示装置１００が、表示領域を２個のセクション領域に分割し、第１セクション領域に、第１ウェブページを表示し、第２セクション領域に、第２ウェブページを表示すると仮定する。
【００６０】
入力制御部１３１を介して、第１ウェブページに含まれた第１リンクに対する選択入力が入力されれば、条件判断部１３２は、第１リンクに対応する第３ウェブページのアドレスが、分割表示条件を満足するか否かを判断し、分割表示条件を満足する場合には、第３ウェブページを表示するために、第１ウェブページとの関係を考慮し、第２セクション領域内に、第２ウェブページ上に、第３ウェブページを表示してもよい。判断の結果、分割表示条件を満足しない場合には、第３ウェブページは、第１ウェブページと同時に表示する必要がないと判断され、表示制御部１３３は、第３ウェブページを、第１セクション領域に表示するように制御する。
【００６１】
入力制御部１３１を介して、第２ウェブページに含まれた第２リンクに対する選択入力が入力されれば、条件判断部１３２の判断過程なしに、表示制御部１３３は、第２セクション領域に、前記第２リンクと対応する第４ページを表示するように制御する。
【００６２】
また、条件判断部１３２は、第１ウェブページに含まれるリンクを介して表示されるウェブページのアドレスだけではなく、第１ウェブページの性格を考慮し、分割表示条件を満足するか否かを判断してもよい。条件判断部１３２は、第１ウェブページが、検索の結果、カフェ内の掲示板リストのように、リスト情報を含んでいる場合にだけ分割表示条件を満足するか否かを判断してもよい。
【００６３】
検索結果のようなリストを含む第１ウェブページ、及び第１ウェブページに含まれたリンクに対応する第２ウェブページを表示する場合、ユーザは、第１ウェブページに含まれた１以上のリンクを順次に開いて確認する過程を遂行するために、第１ウェブページに含まれた１以上のリンクに対して、それぞれ別途の新しい表示領域に表示されるように設定するか、あるいは第１ウェブページの次に、第２ウェブページを確認し、また第１ウェブページに戻った後、さらに次のリンクを選択する過程を反復的に遂行しなければならないという不都合かある。
【００６４】
本発明の一実施形態におけるウェブページ表示装置１００は、前記のような不都合を避けるために、Ａに対する検索結果のようなリストを含む第１ウェブページ、及び第１ウェブページに含まれたリンクに対応するウェブページを互いに独立して別個の領域に表示することができる。
【００６５】
図３ないし図７は、本発明の一実施形態におけるウェブページ表示方法を示すフローチャートである。
【００６６】
図３を参照すると、本発明の一実施形態におけるウェブページ表示方法は、ブラウザアプリケーションダウンロード段階（Ｓ１１００、アプリケーション実行段階（Ｓ１２０）、第１ウェブページの生成入力段階（Ｓ１３０）、第１ウェブページ表示段階（Ｓ１４０）を含んでもよい。
【００６７】
Ｓ１１０においては、ウェブページ表示装置は、外部のサーバからブラウザアプリケーションをダウンロードしてもよい。ブラウザアプリケーションは、インターネットウェブサーバに資料を要請して受信した資料を基に、ウェブページを生成して表示するブラウザ機能を遂行する。Ｓ１２０においては、ウェブページ表示装置１００は、ブラウザアプリケーションファイルを実行する。Ｓ１３０においては、ウェブページ表示装置１００は、ユーザ入力部１５０を介して、第１ウェブページを生成する第１入力が入力される。Ｓ１４０においては、ウェブページ表示装置１００は、第１入力に対応し、第１ウェブページを表示領域に表示する。ここで、該表示領域は、ユーザによって設定された領域であり、表示部１４０の全部または一部の領域をいう。ウェブページ表示装置１００は、ユーザ入力によって、自由に表示領域を調節してもよい。
【００６８】
図４を参照すると、ウェブページ表示方法は、第１ウェブページに含まれた第１リンク選択入力段階（Ｓ２１０）、表示領域分割段階（Ｓ２２０）、ウェブページ表示段階（Ｓ２３０）をさらに含んでもよい。
【００６９】
Ｓ２１０においては、ウェブページ表示装置１００に、ユーザ入力部１５０を介して表示されている第１ウェブページに含まれた第１リンクに対する選択入力が入力される。Ｓ２２０においては、ウェブページ表示装置１００は、選択入力に応じて、表示領域を２個のセクション領域に分割する。Ｓ２３０においては、ウェブページ表示装置１００は、第１セクション領域に、第１ウェブページを表示し、第２セクション領域に、第１リンクと対応する第２ウェブページを表示する。従来のウェブページ表示装置は、１つの表示領域を介して、複数のウェブページを表示し、各ウェブページを、互いに全部または一部の領域が重なるように表示する。それにより、複数のウェブページを同時に表示するために、従来のウェブページ表示装置は、別途の表示領域を新たに生成し、生成した別途の表示領域を介して、第２ウェブページが表示されるように、ユーザからの入力を受けなければならないという不都合があった。それと異なり、本発明の実施形態にかかるウェブページ表示装置１００は、表示されている第１ウェブページに含まれたリンクに対する選択入力に応じて、第２ウェブページを表示する場合、第１ウェブページ及び第２ウェブページを同時に表示するように、表示領域を２個のセクション領域に分割し、第１セクション領域に、第１ウェブページを表示し、第２セクション領域に、第２ウェブページを表示することができる。ここで、分割表示条件は、第２ウェブページのアドレスが、第１ウェブページに含まれているＵＲＬの全部または一部を含んでいる場合、第２ウェブページのアドレスが「ｈｔｔｐ」を含むか否か、第２ウェブページが別途の表示領域で表示されるように設定されたか否かのうち少なくとも一つを含んでもよい。
【００７０】
例えば、第１ウェブページのアドレスが「ｈｔｔｐｓ：／／ｓｅａｒｃｈ．ｎａｖｅｒ．ｃｏｍ／ｓｅａｒｃｈ．ｎａｖｅｒ？ｗｈｅｒｅ＝ｋｉｎ＆ｉｅ＝ｕｔｆ８＆ｑｕｅｒｙ＝％ＥＢ％８９％Ｂ４％ＥＣ％Ａ７％８８％ＥＢ％９Ｅ％９Ｃ％ＥＢ％９３％９Ｃ＆ｓｍ＝ｔａｂ＿ｓｔｃ」であり、第２ウェブページのアドレスが、「ｈｔｔｐｓ：／／ｓｅａｒｃｈ．ｎａｖｅｒ．ｃｏｍ／ｓｅａｒｃｈ．ｎａｖｅｒ？ｗｈｅｒｅ＝ｋｉｎ＆ｉｅ＝ｕｔｆ８＆ｋｉｎ＿ｓｏｒｔ＝０＆ｋｉｎ＿ｄｉｓｐｌａｙ＝１０＆ｑｔ＝＆ｄｆ＝２００２−０９−０１＆ｄｔ＝２０１５−１０−１３＆ｔｉｔｌｅ＝０＆ｔｅｒｍ＝０＆ａｎｓｗｅｒ＝０＆ｇｒａｄｅ＝０＆ｃｈｏｉｃｅ＝０＆ｓｅｃ＝０＆ｎｓｏ＝ｓｏ％３Ａｒ％２Ｃａ％３Ａａｌｌ％２Ｃｐ％３Ａａｌｌ＆ｑｕｅｒｙ＝％ＥＢ％８９％Ｂ４％ＥＣ％Ａ７％８８％ＥＢ％９Ｅ％９Ｃ％ＥＢ％９３％９Ｃ＆ｃ＿ｉｄ＝＆ｃ＿ｎａｍｅ＝＆ｓｍ＝ｔａｂ＿ｐｇｅ＆ｋｉｎ＿ｓｔａｒｔ＝１１」である場合、第１ウェブページのアドレス、及び第２ウェブページのアドレスは、「ｈｔｔｐｓ：／／ｓｅａｒｃｈ．ｎａｖｅｒ．ｃｏｍ／ｓｅａｒｃｈ．ｎａｖｅｒ」のような同一のＵＲＬ及びファイル（ｆｉｌｅ）名を含んでいるために、ウェブページ表示装置１００は、第１ウェブページ及び第２ウェブページを同時に表示しなければならないと判断し、表示領域を分割する。
【００７１】
特に、本発明の実施形態にかかるウェブページ表示装置１００は、所定のキーワードに関する検索結果を含む第１ウェブページと、検索結果に含まれる１以上のリンクを介して生成された第２ウェブページとを同時に表示することができる。それを介して、ウェブページ表示装置１００は、キーワードに対する検索結果を表示するウェブページ、及びキーワードに関連し、検索結果に含まれるウェブページをさらに容易に比較することができる。
【００７２】
他の実施形態において、ウェブページ表示装置１００は、表示しなければならないウェブページの数に応じて、表示領域をウェブページの数だけ分割した複数のセクション領域を生成してもよい。
【００７３】
図５を参照すると、ウェブページ表示方法は、リンクに対する選択入力段階（Ｓ３１０）、分割表示条件判断段階（Ｓ３２０）、領域分割段階（Ｓ３４０）、ウェブページ表示段階（Ｓ３５０，Ｓ３３０）をさらに含んでもよい。ウェブページ表示装置１００は、第１ウェブページが検索結果を含むか、あるいはカフェの掲示板リストを含むような複数の項目を含むリストを表示するウェブページである場合、第１ウェブページに含まれたリンクを介したウェブページ生成については、第１ウェブページと同時に表示される必要があると判断する。
【００７４】
Ｓ３１０においては、ウェブページ表示装置１００には、表示領域の全部または一部に表示されている第１ウェブページに含まれる第１リンクに対する選択入力が入力される。Ｓ３２０においては、ウェブページ表示装置１００は、第１リンクに対応する第２ウェブページのアドレスが、分割表示条件を満足するか否かを判断する。ここで、分割表示条件とは、すでに表示されている第１ウェブページ、及び新たに表示されなければならない第２ウェブページが同時に表示されるようにするために、第１ウェブページの表示領域を分割するか否かを判断するための条件をいう。ウェブページ表示装置１００は、ウェブページ生成入力によって表示領域が若干小さく分割され、ウェブページが若干小さく表示されることを防止するために、表示する第２ウェブページのアドレスが、分割表示条件を満足する場合にだけ表示領域を、複数、例えば、２個のセクション領域に分割し、第１ウェブページを第１セクション領域に表示し、第２ウェブページを第２セクション領域に表示する。Ｓ３３０においては、ウェブページ表示装置１００は、前記判断の結果、第２ウェブページのアドレスが、分割表示条件を満足しない場合には、第２ウェブページを表示領域に表示する。Ｓ３４０においては、ウェブページ表示装置１００は、選択入力に応じて、表示領域を２個のセクション領域に分割する。Ｓ３５０においては、ウェブページ表示装置１００は、第１セクション領域に、第１ウェブページを表示し、第２セクション領域に、第１リンクと対応する第２ウェブページを表示する。
【００７５】
図６を参照すると、本発明の実施形態にかかるウェブページ表示方法は、リンクに対する選択入力段階（Ｓ４１０）、分割表示条件判断段階（Ｓ４２０）、ウェブページ表示段階（Ｓ４３０，Ｓ４４０）をさらに含んでもよい。
【００７６】
本実施形態においては、２個のセクション領域に分割された後のユーザインターフェースについて説明する。特に、本発明の実施形態にかかるウェブページ表示装置１００は、第１セクション領域に表示された第１ウェブページに含まれたリンクに対する選択入力時、前記リンクに対応するウェブページを表示するセクション領域を選択する過程を遂行してもよい。特に、ウェブページ表示装置１００は、第３ウェブページが、第１ウェブページと共に、複数のリンクをリストに含んでいる場合、すなわち、第３ウェブページに対する選択入力が、検索結果、掲示板などのリスト内でのリスト移動である場合には、第１ウェブページの代わりに、第３ウェブページが表示されるように制御してもよい。
【００７７】
Ｓ４１０においては、ウェブページ表示装置１００には、第１ウェブページに含まれた第２リンクに対する選択入力が入力される。Ｓ４２０においては、ウェブページ表示装置１００は、第２リンクに対応する第３ウェブページのアドレスが、分割表示条件を満足するか否かを判断する。Ｓ４３０においては、ウェブページ装置１００は、前記判断の結果、第３ウェブページのアドレスが、分割表示条件を満足する場合、第３ウェブページを第３セクション領域に表示してもよい。このとき、ウェブページ表示装置１００は、第３ウェブページを第２ウェブページに重ねて表示するが、各ウェブページの生成順序によって、第３ウェブページを第２ウェブページ上に表示してもよい。また、ウェブページ表示装置１００は、最も前に表示されずに見えないウェブページに関する情報を表示するために、第２ウェブページ及び第３ウェブページの題目の全部または一部を含む索引を、第２セクション領域の一部分に表示してもよい。ここで、該索引は、当然のこととして、重ならないように表示され、左側から右側の方向に生成される。このとき、該索引は、第１ウェブページを結合して生成してもよい。
【００７８】
Ｓ４４０においては、ウェブページ表示装置１００は、前記判断の結果、第３ウェブページのアドレスが、分割表示条件を満足しない場合、第３ウェブページを、第１セクション領域に表示してもよい。このとき、ウェブページ表示装置１００は、第１ウェブページを閉じ、第３ウェブページを表示してもよく、第１ウェブページ上に、第３ウェブページを表示してもよい。第１ウェブページ上に、第３ウェブページを表示する場合、ウェブページ表示装置１００は、第１ウェブページ及び第３ウェブページの題目の全部または一部を含む索引をそれぞれ生成する。第１ウェブページの表示領域である第１セクション領域に表示されなければならない第３ウェブページは、第１ウェブページと共に、検索結果を含むか、あるいはカフェ内掲示板リストを含むように、リストを含むページであってもよい。
【００７９】
図７を参照すると、本発明の実施形態にかかるウェブページ表示方法は、リンクに対する選択入力段階（Ｓ５１０）、ウェブページ表示段階（Ｓ５２０）をさらに含んでもよい。
【００８０】
本実施形態においては、第２セクション領域に表示された第２ウェブページに含まれたリンクに対する選択入力時、前記リンクに対応するウェブページを、第２ウェブページと同様に、第２セクション領域に表示してもよい。
【００８１】
Ｓ５１０においては、ウェブページ表示装置１００には、第２セクション領域に表示される第２ウェブページに含まれた第３リンクに対する選択入力が入力される。Ｓ５２０においては、ウェブページ表示装置１００は、第３リンクに対応する第４ウェブページのアドレスを考慮せずに、第２リンクに対応する第４ウェブページを第２セクション領域に表示してもよい。
【００８２】
図８Ａから図１０Ｄは、ウェブページ表示装置１００のユーザインターフェースの一例を示す図である。
【００８３】
図８Ａ及び図８Ｂは、ウェブページ表示装置１００によって分割されない、１つの表示領域を介して、複数のウェブページが表示されるユーザインターフェースを示している。
【００８４】
ウェブページ表示装置１００は、ユーザの要請により、表示領域８１０に第１ウェブページ８０１を表示する。一般的には、ウェブページ表示装置１００は、第１ウェブページに含まれるリンクに対する選択入力に応じて、新たなウェブページを生成しなければならない場合には、表示領域に重ねて表示するように、ウェブページ８０２，８０３を生成して表示する。
【００８５】
図９Ａ及び図９Ｂは、ウェブページ表示装置１００によって、１つの表示領域が複数のセクション領域に分割され、複数のセクション領域を介して、複数のウェブページが表示されるユーザインターフェースを示している。
【００８６】
ウェブページ表示装置１００は、ユーザの要請により、表示領域９００に、第１ウェブページ９０１を表示する。ウェブページ表示装置１００は、第１ウェブページ９０１に含まれたリンクに対する選択入力が入力されると、第１ウェブページ９０１の性格、または第１リンクに対応する第２ウェブページ９０２のアドレスを考慮し、表示領域の分割条件、及び第２ウェブページ９０２の表示領域を決定してもよい。さらに具体的には、ウェブページ表示装置１００は、第１ウェブページが、所定キーワードに対する検索結果のようなリスト情報を含む場合、表示領域を、複数のセクション領域に分割し、第１セクション領域に、第１ウェブページ９０１を表示し、第１リンクに対応する第２ウェブページ９０２を、第２セクション領域に表示してもよい。他の選択的な実施形態において、ウェブページ表示装置１００は、第２ウェブページのアドレスが、分割表示条件を満足する場合、表示領域を複数のセクション領域に分割し、第１セクション領域に、第１ウェブページ９０１を表示し、第１リンクに対応する第２ウェブページ９０２を第２セクション領域に表示してもよい。図９Ａ及び図９Ｂに図示されているように、本発明の実施形態にかかるウェブページ表示装置１００は、それぞれ異なるセクション領域に表示される第１ウェブページ及び第２ウェブページを、１つの索引９０３で表示することができる。索引９０３は、第１ウェブページの題目の全部または一部、または第２ウェブページの題目の全部または一部のみを含んでいてもよい。
【００８７】
図１０Ａから図１０Ｄは、ウェブページ表示装置１００によって、１つの表示領域が複数のセクション領域に分割され、複数のセクション領域を介して、複数のウェブページが表示される他のユーザインターフェースを示す。
【００８８】
ウェブページ表示装置１００は、ユーザの要請、入力によって、表示領域１０００に第１ウェブページ１００１を表示する。ウェブページ表示装置１００は、第１ウェブページ１００１に含まれたリンクに対する選択入力が入力されると、第１ウェブページ１００１の性格、または第１リンクに対応する第２ウェブページ１００２のアドレスを考慮し、表示領域を分割するか否か、及び第２ウェブページ１００２の表示領域を決定する。ウェブページ表示装置１００は、第２ウェブページ１００２のアドレスが、分割表示条件を満足する場合、表示領域を複数のセクション領域に分割し、第１セクション領域に、第１ウェブページ１００１を表示し、第１リンクに対応する第２ウェブページ１００２を、第２セクション領域に表示してもよい。このとき、図１０Ｂに図示されているように、ウェブページ表示装置１００は、第１ウェブページの索引、及び第２ウェブページの索引を、各セクション領域の一部分に表示してもよい。
【００８９】
ウェブページ表示装置１００は、第１ウェブページ１００１に含まれたリンクに対する選択入力によって、前記リンクに対応する第３ウェブページ１００３を、第１セクション領域に表示してもよい。ウェブページ表示装置１００は、第１ウェブページを閉じ、第３ウェブページを表示してもよいが、図１０Ｃに図示されているように、第３ウェブページ１００３を、第１ウェブページ１００１上に重ねて表示してもよい。このとき、ウェブページ表示装置１００は、第１ウェブページ及び第３ウェブページの題目の全部または一部を含む索引を互いに重ならないように表示してもよい。ウェブページ表示装置１００は、第２ウェブページに含まれたリンクに対する選択入力に応じて、前記リンクに対応する第４ページ１００４を、第２セクション領域に表示してもよい。図１０Ｄに図示されているようにウェブページ表示装置１００は、第４ウェブページ１００４を、第２ウェブページ１００２上に重ねて表示し、やはり同様に、第２ウェブページ及び第４ウェブページの索引を生成し、互いに重ならないように表示してもよい。
【００９０】
以上で説明した本発明にかかる実施形態は、コンピュータ上で多様な構成要素を介して実行されるコンピュータプログラムの形態によって具現され、かようなコンピュータプログラムは、コンピュータで読み取り可能な媒体に記録される。このとき、該媒体は、ハードディスク、フロッピー（登録商標）ディスク及び磁気テープのような磁気媒体；ＣＤ−ＲＯＭ（ｃｏｍｐａｃｔ  ｄｉｓｃ  ｒｅａｄ  ｏｎｌｙ  ｍｅｍｏｒｙ）及びＤＶＤ（ｄｉｇｉｔａｌ  ｖｅｒｓａｔｉｌｅ  ｄｉｓｃ）のような光記録媒体；フロプティカルディスク（ｆｌｏｐｔｉｃａｌ  ｄｉｓｋ）のような磁気・光媒体（ｍａｇｎｅｔｏ−ｏｐｔｉｃａｌ  ｍｅｄｉｕｍ）、及びＲＯＭ、ＲＡＭ、フラッシュメモリのような、プログラム命令語を保存して実行するように特別に構成されたハードウェア装置を含んでもよい。さらに、該媒体は、ネットワーク上で伝送可能な形態によって具現される無形の媒体を含んでもよく、例えば、ソフトウェア形態またはアプリケーション形態によって具現され、ネットワークを介して、伝送及び流通が可能な形態の媒体であってもよい。
【００９１】
一方、前記コンピュータプログラムは、本発明のために特別に設計されて構成されたものであってもよく、コンピュータソフトウェア分野の当業者に公知であって、使用可能なものであってもよい。該コンピュータプログラムの例としては、コンパイラによって作られるような機械語コードだけではなく、インタープリタなどを使用して、コンピュータによって実行される高級言語コードも含まれる。
【００９２】
本発明で説明する特定実行は、一実施形態であり、いかなる方法でも、本発明の範囲を限定するものではない。明細書の簡潔さのために、従来の電子的な構成、制御システム、ソフトウェア、前記システムの他の機能的な側面の記載を省略する。また、図面に示された構成要素間の線連結または連結不在は、機能的な連結、及び／または物理的または回路的な連結を例示したものであり、実際の装置では、代替可能であったり、追加されたりする多様な機能的な連結、物理的な連結または回路連結として実現される。また、「必須の」、「重要な」のような、具体的な言及がない限り、本発明の適用のために、必ずしも必要な構成要素ではないこともある。
【００９３】
本発明の明細書（特に、特許請求の範囲）において、「前記」の用語、及びそれと類似した指示用語の使用は、単数及び複数のいずれにも該当する。また、本発明において、範囲（ｒａｎｇｅ）を記載した場合、前記範囲に属する個別的な値を適用した発明を含むものであり（それに反する記載がない限り）、発明の詳細な説明に、前記範囲を構成する個別的な値を記載したとおりである。最後に、本発明にかかる方法を構成する段階について、明白に順序が記載されているか、それに反する記載がない限り、前記段階は、適切な順序で行われる。必ずしも前記段階の記載順序に拘束され、本発明が限定されるものではない。本発明において、すべての例、または例示的な用語（「例えば」など）の使用は、単に本発明について詳細に説明するためのものであり、特許請求の範囲において限定されない限り、前記例示または例示的な用語によって、本発明の範囲が限定されるものではない。また、当業者は、多様な修正、組み合わせ及び変更が付加された特許請求の範囲、またはその均等物の範囲内で、様々な設計条件及び設計ファクタによって構成されるということが分かるであろう。
【産業上の利用可能性】
【００９４】
本発明にかかるウェブページ表示装置、その方法及びそのコンピュータプログラムは、例えば、情報検索関連の技術分野において効果的に適用可能である。
【符号の説明】
【００９５】
１００        ウェブページ表示装置
１１０        通信部
１２０        プロセッサ
１３０        記録媒体
１３１        入力制御部
１３２        条件判断部
１３３        表示制御部
１４０        表示部
１５０        ユーザ入力部
【図１】
0006364064.tif 000002
【図２】
0006364064.tif 000003
【図３】
0006364064.tif 000004
【図４】
0006364064.tif 000005
【図５】
0006364064.tif 000006
【図６】
0006364064.tif 000007
【図７】
0006364064.tif 000008
【図８Ａ】
0006364064.tif 000009
【図８Ｂ】
0006364064.tif 000010
【図９Ａ】
0006364064.tif 000011
【図９Ｂ】
0006364064.tif 000012
【図１０Ａ】
0006364064.tif 000013
【図１０Ｂ】
0006364064.tif 000014
【図１０Ｃ】
0006364064.tif 000015
【図１０Ｄ】
0006364064.tif 000016